(57)【要約】      （修正有）【課題】新たな付加価値を与える命名札を提供する。【解決手段】命名札は、二次元コードが張り付けられたもので、スマートフォン等の電子機器を使用し二次元コードを読み込むと、赤ちゃんの産声を再生する事が出来、個人情報、画像、家系図を観覧する事が出来る。【選択図】図１
0003235478.tif 000002
【実用新案登録請求の範囲】
【請求項１】
命名札に新たな付加価値として、録音した音声の電子データを張り付ける，スマートフォン等の電子機器で音声を再生した後に家系図が観覧出来、親族との繋がりを手軽に見る事ができる。
【考案の詳細な説明】
【技術分野】
【０００１】本考案は、命名札に録音した音声の電子データを張り付け、スマートフォン等の電子機器を使用し音声データを再生した後に、家系図観覧が行える、新たな付加価値を持った命名札である。
【背景技術】
【０００２】出産内祝いのお返し等で配られる命名札。古くからの日本の風習でしたが現在ではその風習もあまり見られなくなってきました。ところが今尚、命名札文化が根強く残っているのが沖縄県です。多い人では親族や隣近所の方から頂いた１５０枚以上の命名札を所持しており、古くなればなるほど縁起がいいと言い伝えられ、床の間や家の目立つところに掲示、保管され大切に扱われてきました。ところが、昨今はデジタル化の加速、感染症への恐れから直接コミュニケーションを行う事の減少、狭小住宅等の居住環境の問題もあり、命名札を贈る事を辞めてしまった。頂いた命名札を破棄している。といった意見が増加傾向にありました。
【先行技術文献】
【特許文献】
【０００３】
【特許文献１】実登３００５０７３
【考案の概要】
【考案が解決しようとする課題】
【０００４】従来、大切に扱われてきた命名札。ところが昨今ではデジタル化の加速、感染症への恐れから直接的なコミュニケーションの減少、狭小住宅等の居住環境の問題から、所命名札を贈る事をやめてしまった。頂いた命名札を破棄してしまった。という事例が相次いでいる。そこで、既存の命名札に新たな付加価値をつけ、この課題を解決しようとするものである。
【課題を解決するための手段】
【０００５】本考案は、既存の命名札に新たな付加価値を与える為、録音した音声データを命名札に貼り付け、スマートフォン等の電子機器で再生した後、家系図が観覧できる。命名札に新たな付加価値を与える考案である。
【考案の効果】
【０００６】上述の様に、本考案によって新たな付加価値を持った命名札が誕生する事で、より命名札が大切に扱われ、長い間掲示、保管され古くなった自身の命名札を目にした子供が自身の成長の軌跡を実感する事が出来る。また、産まれた頃の音声を聞けたり家系図を眺め自身のルーツを深く感じる事が出来、より産まれた事への愛着を醸成する事が出来る。これにより、これまで大切に受け継がれてきた命名札という文化、風習をよりよい形で受け継ぎ、継承していく事が出来る。
【図面の簡単な説明】
【０００７】
【図１】  本考案の新たな付加価値を持った命名札の正面図である。
【図２】  命名札に貼り付けた音声データをスマートフォン等の電子機器で再生した後に観覧できる家系図イメージの正面図である。
【考案を実施するための形態】
【０００８】以下、本考案を実施するための形態について説明する。
命名札に録音した音声データを張り付ける（１）。スマートフォン等の電子機器で音声データを再生する（２）。音声データを再生した後に家系図を観覧する事が出来る（３）。
【符号の説明】
【０００９】１  音声データ
２  スマートフォン等の電子機器を使用して音声データを再生
３  音声データを再生後に家系図を観覧する事が出来る。
【図１】
0003235478.tif 000003
【図２】
0003235478.tif 000004
【手続補正書】
【提出日】令和3年7月7日(2021.7.7)
【手続補正１】
【補正対象書類名】実用新案登録請求の範囲
【補正対象項目名】全文
【補正方法】変更
【補正の内容】
【実用新案登録請求の範囲】
【請求項１】
命名札に新たな付加価値としてＱＲコードにデジタル情報を記録し紐づける，録音した赤ちゃんの産声等の音声データや命名札に記載している赤ちゃんの氏名、画像、出生時刻等の情報をＷＥＢサイトから事前に入力登録しＱＲコードにデジタル情報を記録する，予めデジタル情報を記録したＱＲコードを命名札に貼り付ける事で命名札を受け取った方がスマートフォン等で命名札に貼られたＱＲコードを読み込むと録音した音声が再生され、予め登録していた家族写真や家系図を観覧する事が出来る，これまでのアナログな命名札にデジタル情報を追加し，録音した音声データの再生や画像の再生、家系図の観覧等を行えることを特徴とする命名札。
【手続補正２】
【補正対象書類名】明細書
【補正対象項目名】全文
【補正方法】変更
【補正の内容】
【考案の詳細な説明】
【技術分野】
【０００１】本考案は、命名札に予め録音した音声や命名札に記載されている個人情報をデジデジタル情報として記録したＱＲコードを張り付ける事で、受け取った方がスマートフォン等の電子機器を使用して命名札に貼られたＱＲコードを読み込むと、音声データや個人情報が再生され、画像の閲覧や家系図観覧が行える、新たな付加価値を持った命名札である。
【背景技術】
【０００２】出産内祝いのお返し等で配られる命名札。古くからの日本の風習でしたが現在ではあまり見られなくなってきました。ところが今尚、命名札文化が根強く残っているのが沖縄県です。多い人では親族や隣近所の方から頂いた１５０枚以上の命名札を所持しており、古くなればなるほど縁起がいいと言い伝えられ、床の間や家の目立つところに掲示、保管され大切に扱われてきました。ところが、昨今はデジタル化の加速、感染症への恐れから直接コミュニケーションを行う事の減少、狭小住宅等の居住環境の問題もあり、命名札を贈る事を辞めてしまった。頂いた命名札を破棄している。といった意見が増加傾向にありました。
【先行技術文献】
【特許文献】
【０００３】
【特許文献１】実登３００５０７３
【考案の概要】
【考案が解決しようとする課題】
【０００４】従来、大切に扱われてきた命名札。ところが昨今ではデジタル化の加速、感染症への恐れから直接的なコミュニケーションの減少、狭小住宅等の居住環境の問題から、所命名札を贈る事をやめてしまった。頂いた命名札を破棄してしまった。という事例が相次いでいる。そこで、既存の命名札に新たな付加価値をつけ、この課題を解決しようとするものである。
【課題を解決するための手段】
【０００５】本考案は、既存の命名札に新たな付加価値を与える為、アナログであった命名札にデジタル情報を紐づけ、事前にデジタル情報を記録したＱＲコードを命名札に貼り付ける事で、受け取った方がスマートフォン等の電子機器を使用しＱＲコードを読みこむと録音した赤ちゃんの産声等の音声データの再生や登録した個人情報、画像の閲覧、家系図の観覧ができる、命名札に新たな付加価値を与える考案である。
【考案の効果】
【０００６】上述の様に、本考案によって新たな付加価値を持った命名札が誕生する事で、より命名札が大切に扱われ、長い間掲示、保管され、年月が経過し古くなった自身の命名札を目にした子供が自身の成長の軌跡を実感する事が出来る。また、産まれた頃の音声を聞けたり家系図をみることで自身のルーツを深く感じる事が出来、より産まれた事への愛着を醸成する事が出来る。これにより、これまで大切に受け継がれてきた命名札という文化、風習をよりよい形で受け継ぎ、継承していく事が出来る
【図面の簡単な説明】
【０００７】
【図１】本考案の新たな付加価値を持った命名札の正面図である。
【図２】命名札に貼り付けた電子データをスマートフォン等の電子機器で再生した後に観覧できる家系図イメージの正面図である。
【考案を実施するための形態】
【０００８】以下、本考案を実施するための形態について説明する。
命名札に事前に登録したデジタル情報をＱＲコードとして貼り付ける（１）。スマートフォン等の電子機器でＱＲコードを読み込むと事前にデジタル情報を登録した赤ちゃんの産声や個人情報、画像を閲覧する事が出来る（２）。事前に登録した家系図を観覧する事が出来る（３）。
【符号の説明】
【０００９】１  デジタル情報ＱＲコード
２  スマートフォン等の電子機器で電子データが再生出来る。
３  電子データ再生後に家系図を観覧する事が出来る
【手続補正３】
【補正対象書類名】図面
【補正対象項目名】全図
【補正方法】変更
【補正の内容】
【図１】
0003235478.tif 000005
【図２】
0003235478.tif 000006